(57)【要約】【課題】写真自動販売機において、操作性を確保しつつ多種多様なバリエーションの編集用画像を提示する。【解決手段】写真自動販売機は、編集用（スタンプ）ツールで撮影画像に対して編集処理を行なう際に用いるスタンプ画像を変化させるためのスーパーチェンジボタンをスタンプ画像ごとに備える。写真自動販売機は、ステップＳ２０３でタブレットペンがスーパーチェンジボタンにタッチしていることを検出すると、ペンが離れるまでそのスタンプ画像をリアルタイムに変化させ続ける。そして、ステップＳ２０９で、ペンが離れた時点の変化したスタンプ画像を編集処理に利用可能なスタンプ画像と確定する。その後、ステップＳ２１１で編集処理に用いるスタンプ画像の選択と、ステップＳ２１３でその入力位置とを受付け、ステップＳ２１５で入力位置と入力画像とを確定して編集処理を実行する。【選択図】        図１０
2004153613.tif 000002
【特許請求の範囲】
【請求項１】
被写体を撮影する撮影手段と、
前記撮影された画像を編集する編集手段と、
前記撮影された画像を含む第１の領域と前記編集用の画像を含む第２の領域とを表示する表示手段とを備える写真自動販売機であって、
ユーザの指示を受付けて、前記編集用画像の変化を開始する変化手段と、
前記編集用画像の変化を開始した後に、前記ユーザより前記変化した編集用画像の前記撮影された画像上の入力位置を受付ける入力位置受付手段とをさらに備え、
前記表示手段は、前記変化した編集用画像を前記第２の領域に表示し、
前記編集手段は、前記撮影された画像の前記受付けた入力位置に、前記変化した編集用画像を入力する、写真自動販売機。
【請求項２】
前記変化手段は、選択された編集用画像の変化を開始する、請求項１に記載の写真自動販売機。
【請求項３】
前記変化手段は、前記ユーザの指示を受付けている間、時間と共に前記編集用画像を変化させ、
前記表示手段は、前記時間と共に変化する編集用画像を前記第２の領域に表示する、請求項１または２に記載の写真自動販売機。
【請求項４】
前記ユーザより前記編集用画像の変化の停止の指示を受付ける停止手段をさらに備え、
前記変化手段は、前記ユーザの指示を受付けてから前記停止の指示を受付けるまで、時間と共に前記編集用画像を変化させ、
前記表示手段は、前記時間と共に変化する編集用画像を前記第２の領域に表示する、請求項１または２に記載の写真自動販売機。
【請求項５】
被写体を撮影する撮影ステップと、
前記撮影された画像を編集する編集ステップと、
前記撮影された画像を含む第１の領域と前記編集用の画像を含む第２の領域とを表示する表示ステップとを備える写真自動販売機における編集用画像提示方法であって、
ユーザの指示を受付けて、前記編集用画像の変化を開始する変化ステップと、
前記編集用画像の変化を開始した後に、前記ユーザより前記変化した編集用画像の前記撮影された画像上の入力位置を受付ける入力位置受付ステップとをさらに備え、
前記表示ステップは、前記変化した編集用画像を前記第２の領域に表示し、
前記編集ステップは、前記撮影された画像の前記受付けた入力位置に、前記変化した編集用画像を入力する、写真自動販売機における編集用画像提示方法。
【請求項６】
前記変化ステップは、選択された編集用画像の変化を開始する、請求項５に記載の写真自動販売機における編集用画像提示方法。
【請求項７】
前記変化ステップは、前記ユーザの指示を受付けている間、時間と共に前記編集用画像を変化させ、
前記表示ステップは、前記時間と共に変化する編集用画像を前記第２の領域に表示する、請求項５または６に記載の写真自動販売機における編集用画像提示方法。
【請求項８】
前記ユーザより前記編集用画像の変化の停止の指示を受付ける停止ステップをさらに備え、
前記変化ステップは、前記ユーザの指示を受付けてから前記停止の指示を受付けるまで、時間と共に前記編集用画像を変化させ、
前記表示ステップは、前記時間と共に変化する編集用画像を前記第２の領域に表示する、請求項５または６に記載の写真自動販売機における編集用画像提示方法。
【請求項９】
写真自動販売機における編集用画像提示方法をコンピュータに実行させるプログラムであって、
被写体を撮影する撮影ステップと、
前記撮影された画像を編集する編集ステップと、
前記撮影された画像を含む第１の領域と前記編集用の画像を含む第２の領域とを表示する表示ステップと、
ユーザの指示を受付けて、前記編集用画像の変化を開始する変化ステップと、
前記編集用画像の変化を開始した後に、前記ユーザより前記変化した編集用画像の前記撮影された画像上の入力位置を受付ける入力位置受付ステップとをコンピュータに実行させ、
前記表示ステップは、前記変化した編集用画像を前記第２の領域に表示し、
前記編集ステップは、前記撮影された画像の前記受付けた入力位置に、前記変化した編集用画像を入力する、写真自動販売機における編集用画像提示プログラム。
【請求項１０】
前記変化ステップは、選択された編集用画像の変化を開始する、請求項９に記載の写真自動販売機における編集用画像提示プログラム。
【請求項１１】
前記変化ステップは、前記ユーザの指示を受付けている間、時間と共に前記編集用画像を変化させ、
前記表示ステップは、前記時間と共に変化する編集用画像を前記第２の領域に表示する、請求項９または１０に記載の写真自動販売機における編集用画像提示プログラム。
【請求項１２】
前記ユーザより前記編集用画像の変化の停止の指示を受付ける停止ステップをさらにコンピュータに実行させ、
前記変化ステップは、前記ユーザの指示を受付けてから前記停止の指示を受付けるまで、時間と共に前記編集用画像を変化させ、
前記表示ステップは、前記時間と共に変化する編集用画像を前記第２の領域に表示する、請求項９または１０に記載の写真自動販売機における編集用画像提示プログラム。
【発明の詳細な説明】
【０００１】
【発明の属する技術分野】
この発明は写真自動販売機、写真自動販売機における編集用画像提示方法、および写真自動販売機における編集用画像提示プログラムに関し、特に、操作性を確保しつつ多種多様なバリエーションの編集用画像を提示する写真自動販売機、写真自動販売機における編集用画像提示方法、および写真自動販売機における編集用画像提示プログラムに関する。
【０００２】
【従来の技術】
コイン等の対価を投入することで、自動的に使用者の写真を撮影しプリントする写真自動販売機や、さらに撮影された使用者の画像と予め記憶されている画像であって使用者から選択された画像とを組合せた写真をプリントする写真自動販売機などが広く知られている。
【０００３】
このような写真自動販売機は、撮影された画像に対して、タッチペンなどにより画像を入力し（このような入力は一般に「落書き」や「お絵描き」と呼ばれる。）、撮影された画像の編集を行なった後にプリント出力してユーザに提供する。
【０００４】
お絵描き等の編集処理は、撮影を終えたユーザが限られた編集時間の中で、ディスプレイ上のペンやスタンプ等の様々な編集用のツールから所望するツールを選択し、次にそのツールで用いる模様や色等を選択し、さらにその入力位置を選択することによって実行されるものである。
【０００５】
このように、限られた編集時間の中で多くの作業を行なう必要があるため、多種類の編集用ツール等の中から所望するツール等を探しやすくし、探す作業に要する時間を短くするために、特許文献１においては、ディスプレイ上の指定位置において、スタンプ画像等の描画用画像を時間と共に変化させて表示する写真シール自動販売機が開示されている。
【０００６】
【特許文献１】
特許第３３２８６７９号公報
【０００７】
【発明が解決しようとする課題】
しかしながら、上述の特許文献１に開示されている写真シール自動販売機では、描画用画像を選択した後に予め撮影画像上において描画用画像を入力する位置を設定し、その位置において選択された描画用画像を変化させて入力する描画用画像を決定させる構成であるため、入力位置を設定した後に、選択した描画用画像を変更することができない。すなわち、入力する前提で描画用画像を変化させるため、入力位置を設定した後から描画用画像の変更を希望した場合であっても、いったん入力位置を設定するとその位置に選択した描画用画像が入力されてしまうという問題があった。このような場合、入力された描画用画像が気に入らないものであるときには、入力された描画用画像を消す行程が必要となり、操作が煩雑である。
【０００８】
また、上述の写真シール自動販売機では、撮影画像上の入力位置において選択された描画用画像を変化させて表示するため、撮影画像や、すでに入力している他の描画用画像と重なって、選択した描画用画像の変化が確認し難い場合もあるという問題もあった。
【０００９】
本発明はこのような問題に鑑みてなされたものであって、限られた表示領域に、多種多様なバリエーションの編集用画像等の編集用の選択肢を操作性よく提示することのできる写真自動販売機、写真自動販売機における編集用画像提示方法、および写真自動販売機における編集用画像提示プログラムを提供することを目的とする。
【００１０】
【課題を解決するための手段】
上記目的を達成するために、本発明のある局面に従うと、写真自動販売機は、被写体を撮影する撮影手段と、撮影された画像を編集する編集手段と、撮影された画像を含む第１の領域と編集用の画像を含む第２の領域とを表示する表示手段とを備える写真自動販売機であって、ユーザの指示を受付けて、編集用画像の変化を開始する変化手段と、編集用画像の変化を開始した後に、ユーザより変化した編集用画像の撮影された画像上の入力位置を受付ける入力位置受付手段とをさらに備え、表示手段は、変化した編集用画像を第２の領域に表示し、編集手段は、撮影された画像の受付けた入力位置に、変化した編集用画像を入力する。
【００１１】
また、上述の変化手段は、選択された編集用画像の変化を開始することが望ましい。
【００１２】
また、上述の変化手段は、ユーザの指示を受付けている間、時間と共に編集用画像を変化させ、表示手段は、時間と共に変化する編集用画像を第２の領域に表示することが望ましい。
【００１３】
また、写真自動販売機は、ユーザより編集用画像の変化の停止の指示を受付ける停止手段をさらに備え、変化手段は、ユーザの指示を受付けてから停止の指示を受付けるまで、時間と共に編集用画像を変化させ、表示手段は、時間と共に変化する編集用画像を第２の領域に表示することが望ましい。
【００１４】
本発明の他の局面に従うと、写真自動販売機における編集用画像提示方法は、被写体を撮影する撮影ステップと、撮影された画像を編集する編集ステップと、撮影された画像を含む第１の領域と編集用の画像を含む第２の領域とを表示する表示ステップとを備える写真自動販売機における編集用画像提示方法であって、ユーザの指示を受付けて、編集用画像の変化を開始する変化ステップと、編集用画像の変化を開始した後に、ユーザより変化した編集用画像の撮影された画像上の入力位置を受付ける入力位置受付ステップとをさらに備え、表示ステップは、変化した編集用画像を第２の領域に表示し、編集ステップは、撮影された画像の受付けた入力位置に、変化した編集用画像を入力する。
【００１５】
また、上述の変化ステップは、選択された編集用画像の変化を開始することが望ましい。
【００１６】
また、上述の変化ステップは、ユーザの指示を受付けている間、時間と共に編集用画像を変化させ、表示ステップは、時間と共に変化する編集用画像を第２の領域に表示することが望ましい。
【００１７】
また、写真自動販売機における編集用画像提示方法は、ユーザより編集用画像の変化の停止の指示を受付ける停止ステップをさらに備え、変化ステップは、ユーザの指示を受付けてから停止の指示を受付けるまで、時間と共に編集用画像を変化させ、表示ステップは、時間と共に変化する編集用画像を第２の領域に表示することが望ましい。
【００１８】
本発明のさらに他の局面に従うと、写真自動販売機における編集用画像提示プログラムは、写真自動販売機における編集用画像提示方法をコンピュータに実行させるプログラムであって、被写体を撮影する撮影ステップと、撮影された画像を編集する編集ステップと、撮影された画像を含む第１の領域と編集用の画像を含む第２の領域とを表示する表示ステップと、ユーザの指示を受付けて、編集用画像の変化を開始する変化ステップと、編集用画像の変化を開始した後に、ユーザより変化した編集用画像の撮影された画像上の入力位置を受付ける入力位置受付ステップとをコンピュータに実行させ、表示ステップは、変化した編集用画像を第２の領域に表示し、編集ステップは、撮影された画像の受付けた入力位置に、変化した編集用画像を入力する。
【００１９】
また、上述の変化ステップは、選択された編集用画像の変化を開始することが望ましい。
【００２０】
また、上述の変化ステップは、ユーザの指示を受付けている間、時間と共に編集用画像を変化させ、表示ステップは、時間と共に変化する編集用画像を第２の領域に表示することが望ましい。
【００２１】
また、写真自動販売機における編集用画像提示プログラムは、ユーザより編集用画像の変化の停止の指示を受付ける停止ステップをさらにコンピュータに実行させ、変化ステップは、ユーザの指示を受付けてから停止の指示を受付けるまで、時間と共に編集用画像を変化させ、表示ステップは、時間と共に変化する編集用画像を第２の領域に表示することが望ましい。
【００２２】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００２３】
図１は、本実施の形態における写真撮影装置である、写真自動販売機の外観の具体例を示す図である。図１を参照して、本実施の形態における写真自動販売機は、パーソナルコンピュータ（以下、ＰＣという）１０１（図４参照）、プリンタ１２、および制御部１０２（基盤）（図４参照）などの各種機器類を収める筐体１と、筐体１と共に撮影ブース４を形成するパネル２と、フレーム材３とを含む。
【００２４】
このような写真自動販売機において、被写体であるユーザ１５は、筐体１、パネル２およびフレーム材３にて構成される撮影スペースである撮影ブース４内に入り、筐体１に相対する向きで撮影を行なう。なお、以降の説明において、便宜上、筐体１の紙面に対して左側の面（ユーザ１５から遠い側の面）を背面とする。また、筐体１の紙面に対して右側の面（ユーザ１５が相対する面）を正面とする。また、本実施の形態においては、被写体がユーザ１５であるものとして説明を行なうが、被写体はユーザ１５に限定されず、その他の物体であってもかまわない。また、被写体であるユーザ１５は、図１においては、１人であるものとして示されているが、複数であってもかまわない。
【００２５】
上述のパネル２が木製である場合には、パネル２は左側面（図１の手前側）、右側面（図１の奥側）、背面（図１の右側）、および天井面（図１の上側）などに大きく分割される。さらに、背面のパネル２は大きいことから、上下または左右に２枚に分割されている場合がある。また、撮影ブース４の内部となる、パネル２の内面は、照明の反射による間接光を得ることを目的とする場合は白色、逆に光を吸収させたいときは黒色、クロマキー合成を行なう目的のときは青色などの色彩が施される。すなわち、パネル２の内面の色は、写真自動販売機がどのような撮影を行なうかによって、設計開発時に適宜選ばれる。また、パネル２は、布またはビニール材で代替することもでき、その場合には、フレーム材３にたるみなく張られた状態で固定される。
【００２６】
プリンタ１２は、撮影された画像を紙やシールや金属やプラスチックなどの印刷媒体に印刷するためのプリンタであって、昇華型プリンタやサーモオートクローム方式（光定着型直接感熱記録方式）等のプリンタが一般的に用いられる。なお、本実施の形態においては、プリンタ１２でシールが印刷されるものとして説明を行なうが、印刷媒体はシールに限定されず、上に示す他の印刷媒体であっても同様の処理が実行される。
【００２７】
さらに、撮影ブース４内には背景カーテン５が配備され、撮影時の背景として用いられる。背景の色によって、被写体の写り方、特に色調が変ってくるため、さまざまな色、柄のカーテンが複数枚用意されている。また、背景カーテン５が備えられていなくても構わない。さらに、背景カーテン５は、巻上げ式、引出し方式など、ユーザ１５の操作によりセットされてもよいし、操作部５１（図２参照）等を操作することで自動でセットされてもよい。また、背景カーテン５は、さまざまな種類が配備されることで、撮影における遊びの要素ともなり得る。
【００２８】
また、ユーザ１５が撮影ブース４内に出入りできるように、写真自動販売機の側面は開けられているが、撮影が妨げられないよう、また外部光を遮断するためなどの理由で、その側面にサイドカーテン６が備えられている。なお、撮影ブース４への出入りが一方の側面のみである場合には、その側面にのみサイドカーテン６が備えられる。また、両側面から出入りできる場合には、両側面にサイドカーテン６が備えられていてもよい。ユーザ１５は、撮影を行なう際には、このサイドカーテン６を開けて撮影ブース４に入り、撮影時はサイドカーテン６を閉める。なお、サイドカーテン６の裏面（撮影ブース４の内側）の色等は、背景カーテン５やパネル２内面と同様の理由で適宜選ばれる。
【００２９】
さらに、写真自動販売機の外側には、お絵描きブース５３とプリント取出口９とが備えられる。
【００３０】
お絵描きブース５３は、筐体１の背面に備えられる。お絵描きブース５３は、撮影により得られた画像を表示し、画像の編集を受付けるタブレットディスプレイ１３と、画像入力を行なうためのタブレットペン１４ａと、ユーザに対し音楽や操作方法の説明などを音声で出力するスピーカ２３ｃとを含んでいる。
【００３１】
プリント取出口９は、筐体１の側面に備えられ、箱型の形状を奏している。プリンタ１２でプリントされた写真は排出され、ここに落とされる。そして、ユーザ１５は、プリント取出口９よりプリントされた写真を取出す。なお、プリント取出口９付近には、印刷中ＬＥＤ（Ｌｉｇｈｔ  Ｅｍｉｔｔｉｎｇ  Ｄｉｏｄｅ）１０および印刷エラーＬＥＤ１１とが備えられ、それらが点灯あるいは点滅することによって、ユーザ１５は、印刷中であるという状態、あるいは印刷中に用紙切れ、インク切れ、用紙詰り、メカニカルエラーなどのエラーが発生しているという状態を知ることができる。
【００３２】
次に、図２に、上述の筐体１を正面（撮影ブース４内方向）から見た具体例を示す。
【００３３】
図２を参照して、筐体１の正面、すなわち被写体であるユーザ１５と相対する面には、カメラ２１と、モニタ２２と、デモンストレーション（以下、「デモ」と略す）音声や、ＢＧＭ、操作方法などのアナウンスを出力するスピーカ２３ａ，２３ｂと、デモ画面や撮影中の操作手順、ユーザ１５へのアナウンスなどを表示するディスプレイ１３ａと、対価である硬貨を投入すためのコイン投入口２６と、前面のメンテナンスなどを行なうためのドアであって、錠２７によって施錠されているフロントドア２８とが備えられる。
【００３４】
また、筐体１のカメラ２１の周囲には、蛍光灯やフラッシュなどを内蔵し、被写体の照明を行なうための照明ボックス１８ａ〜１８ｃが備えられている。また、筐体１の前面には、ユーザ１５からの操作を入力する操作部５１が備えられている。
【００３５】
カメラ２１で撮影された画像はリアルタイムにモニタ２２に表示され、これによりユーザは撮影により得られる画像を知ることができる。
【００３６】
カメラ２１としては、一般にデジタルカメラが用いられる。一般的なデジタルカメラで設定できる項目（たとえばシャッタスピード、絞り値、露出補正、ホワイトバランスなど）の変更や、撮影タイミングは、ＰＣ１０１（図４参照）から指示される。
【００３７】
さらに、筐体１の上面には、筐体１内部の熱を逃がすためのファンや、外部装置への画像の配信、リモートメンテナンスなどの、外部装置との通信を行なうときにケーブルを差込むためのＬＡＮ（Ｌｏｃａｌ  Ａｒｅａ  Ｎｅｔｗｏｒｋ）ケーブル差込口などが備えられていることが好ましい。なお、このようなファンは、筐体１内部の熱を逃がす目的で備えられるものであるため、筐体１の上面に限定されず、熱を発生しやすい機器類の近傍などの他の場所に備えられても、また複数備えられてもかまわない。また、ＬＡＮケーブル差込口が備えられる位置も、ケーブルの配線の取回しが容易な位置であれば筐体１の上面に限定されない。
【００３８】
次に、図３に、筐体１を背面（お絵描きブース５３方向）から見た具体例を示す。
【００３９】
図３を参照して、筐体１の背面側には、タブレットディスプレイ１３と、２本のタブレットペン１４ａ，１４ｂ（タブレットペン１４ａ，１４ｂを代表させてタブレットペン１４と言う）と、スピーカ２３ｃ，２３ｄ（スピーカ２３ａ〜ｄを代表させてスピーカ２３と言う）とが備えられる。
【００４０】
タブレットディスプレイ１３は、筐体１の撮影を行なう面とは逆の面に備えられるディスプレイであって、撮影後の画像を表示する。また、ユーザ１５より、撮影により得られた画像に対してタブレットペン１４を用いた編集入力（落書き）を受付ける。なお、タブレットペン１４は、ペン形状の入力装置であって、タブレットディスプレイ１３にタッチすることで、背景、スタンプ、フレームなどの画像や文字の入力、または使用する項目（ボタン）の選択、操作の選択などの入力をすることができる。タブレットペン１４は、１つのみ備えられてもよいし、図３に示されるように複数のユーザ１５で編集入力が可能なように複数備えられていてもよい。
【００４１】
次に、図４に、本実施の形態における写真自動販売機の機能ブロック図を示し、写真自動販売機の機能について説明する。
【００４２】
図４を参照して、写真自動販売機は、当該写真自動販売機を動作させるためのＰＣ１０１と、基板から構成され、動作中のＰＣ１０１からの指示を受付けて、接続されている各種装置を制御する制御部１０２とを備える。
【００４３】
上述のＰＣ１０１は、ＰＣ１０１の制御を行なう演算装置であるＣＰＵ（Ｃｅｎｔｒａｌ  Ｐｒｏｃｅｓｓｉｎｇ  Ｕｎｉｔ）と、装置を動作させるためのプログラムおよびプログラムで必要なグラフィックデータ、音声データ、撮影された画像や撮影画像に対して入力した編集画像その他の各種画像などを記憶する記憶装置と、プログラムの一時的な作業領域ともなるメモリと、カメラ２１、プリンタ１２、タブレットディスプレイ１３などの周辺機器を制御するためのソフトウェアであるドライバと、ＬＡＮケーブルを介して外部機器と接続された場合に通信を行なう通信部とを含む。なお、ＰＣ１０１は、電源スイッチ２９が押され、当該写真自動販売機に電源プラグより電源が投入されると、上記プログラムが起動されて動作する。
【００４４】
また、写真自動販売機は、電源を必要とするモニタ２２、スピーカ２３、および照明装置３０などの電源系統を制御する電源制御部１０３を備え、外部からそれらの装置に対する電源の電圧を安定させるよう制御する。さらに、そのような電源の投入および切断は、電源スイッチ２９を押すことで行なわれる。しかし、電源切断によりＰＣ１０１で動作しているプログラムを強制的に終了させることは、動作を不安定にさせる原因となる。そのため、電源が落とされても、しばらくはＵＰＳ（Ｕｎｉｎｔｅｒｒｕｐｔｅｄ  Ｐｏｗｅｒ  Ｓｕｐｐｌｙ）１０４が電源をバックアップし、ＰＣ１０１に停電信号を送信する。その間に、ＰＣ１０１はプログラムの終了の手続を行ない、プログラムを正常に終了させる。
【００４５】
上述の制御部１０２は、サービスパネル１０５から制御信号を受付ける。サービスパネル１０５は、投入されたコインの枚数をカウントするコインカウンタ、印刷されたプリントの枚数をカウントするプリントカウンタ、スピーカ２３から出力する音声のボリュームを調整する音量調整つまみ、テストモードを行なうためのテストボタン、コインを投入しなくても装置が利用できるようにするためのサービスボタン等を備えるパネルであって、当該写真自動販売機の設置者が各種設定やメンテナンスの操作を行なう際に用いる。
【００４６】
また、制御部１０２は、操作部５１、サービスパネル１０５、コイン制御部１０７からの信号を受付けＰＣ１０１に通知したり、逆に、ＰＣ１０１からの制御信号（指示コマンドなど）によりサービスパネル１０５、フラッシュ制御部（図示せず）、フラッシュ（図示せず）、コイン制御部１０７、印刷中ＬＥＤ１０、印刷エラーＬＥＤ１１を制御したりする。
【００４７】
コイン制御部１０７は、コイン投入口２６に投入されたコインの正当性を検出し、制御部１０２にコインが投入された信号を送る。逆に、コイン投入を禁止するときは、コイン制御部１０７は制御部１０２からの信号により、コインが投入されないようにコイン投入口２６をブロックすることができる。
【００４８】
サービスパネル１０５は、テストボタン、サービスボタンが押下された信号を制御部１０２に送る。逆に、制御部１０２からの信号により、コインカウンタ、プリントカウンタを動作させる（例えばカウンタを１インクリメントする）。また、ＰＣ１０１から出力される音声は、サービスパネル１０５上の音量調整つまみで調整された音量でスピーカ２３から出力される。
【００４９】
操作部５１は、操作部５１での入力信号を制御部１０２に送る。入力信号がＰＣ１０１に送信され、ＰＣ１０１では、操作内容に応じた処理が行なわれる。
【００５０】
さらに、プリンタ１２の状態がＰＣ１０１に通知され、ＰＣ１０１は、その状態に応じて制御部１０２に信号を送出する。その信号によって、印刷中ＬＥＤ１０または印刷エラーＬＥＤ１１が点灯または点滅する。
【００５１】
なお、言うまでもなく、写真自動販売機の形態は図１〜図４に示される具体例に限定されるものではない。すなわち、図１〜図４に記載されない他の機能が備えられていてもよいし、図１〜図４に記載されている機能の必ずしも全てが備えられていなくても構わない。例えば、プリンタ１２は写真自動販売機に含まれていなくてもよく、その場合、写真自動販売機は、ＬＡＮ等の専用回線や無線通信等を介して印刷制御信号をプリンタ１２に出力するものとする。
【００５２】
次に、図５のフローチャートを用いて、本実施の形態における写真自動販売機での処理について説明する。図５のフローチャートに示される処理は、ＰＣ１０１のＣＰＵが、記憶装置に記憶されるプログラムをメモリに読出して実行することによって実現される。
【００５３】
まず、当該写真自動販売機に備わる電源スイッチ２９が投入されると、各種装置の電源が投入される。すると、ＰＣ１０１の記憶装置に格納された動作プログラムが起動する。ＰＣ１０１は、各種装置が正常に接続されているかチェックし、初期化が必要な装置に対しては初期化を行なう。その後、当該写真自動販売機の利用を促すタイトルデモをディスプレイ１３ａに表示し、同時に音声をスピーカ２３ａ，２３ｂから出力する（Ｓ１００）。
【００５４】
タイトルデモが表示されている状態で、コイン投入口２６において、当該写真自動販売機を利用するためのコインの投入を受付ける（Ｓ１１０）。なお、上述のコインの受付けに代えて、タイトルデモ表示中にテストボタンを押下することによって、当該写真自動販売機のメンテナンスを行なうためのテストモードが起動する。
【００５５】
テストモードは、写真自動販売機の設置者が写真自動販売機を操作するためのモードであり、このモードにおいては当該写真自動販売機の利用状況（たとえばコイン投入数など）の確認や、カメラ２１、プリンタ１２など周辺機器の調整ができる。
【００５６】
ここで写真自動販売機の設置者とは、当該写真自動販売機を設置し営業を行なっている店舗などの経営者、管理者、および従業員であり、営業中に、利用者に対応できるものである。
【００５７】
ステップＳ１１０で受付けたコインは、コイン制御部１０７において正当性や枚数等が検知される。そして、正常にコインを受付けるとプレイが開始される。
【００５８】
まず、当該写真自動販売機における処理（プレイ）は、撮影から始まる。はじめに、カメラ２１が取得する画像を、モニタ２２にリアルタイムに表示する。ユーザ１５は、モニタ２２に表示される画像を見ながら、好みの表情やポーズをとることができる。なお、ここではカメラ２１が取得した画像をそのままモニタ２２に表示してもかまわないし、左右に反転処理して表示してもかまわない。左右に反転処理して表示した場合、ユーザ１５の姿を鏡に写す方向と同じ方向でモニタ２２に表示することができる。そのため、ユーザ１５は、モニタ２２を見ながら好みの表情やポーズをとることが容易になる。
【００５９】
次に、撮影方法に複数のモードがある場合は、その選択肢を操作用のディスプレイ１３ａに提示し、操作部５１のボタン等で好みの撮影モードをユーザ１５から受付ける（Ｓ１２０）。そして、選択された撮影モードで撮影を開始する（Ｓ１３０）。
【００６０】
また、ここでは、撮影モードだけでなく、ディスプレイ１３ａに表示される操作画面およびスピーカ２３ａ，２３ｂから流れる音声に従って、背景カーテン５の選択をしたり、カメラ２１を好みの位置に移動させたり、カメラ２１を回転、または向きを調整したりすることができる。これらの指示は、操作部５１などで受付ける。さらに、カメラ２１の近傍などにカメラ２１の向きやズーム等の指示を行なうボタンなどが備えられる場合には、それによってカメラ２１の向きやズーム等の指示を受付ける。そして、受付けた撮影モードや背景カーテン５などで撮影が行なわれる。
【００６１】
撮影は、時間経過とともに「３、２、１」などのカウントダウンをディスプレイ１３ａあるいはスピーカ２３ａ，２３ｂに出力して自動で行なうことができる。また、カメラ２１の近傍に設けられた撮影ボタン（図示せず）を押下することで行なってもよい。
【００６２】
撮影は、ＰＣ１０１からカメラ２１に撮影信号が送信されることでシャッタが切られ、実行される。ステップＳ１３０では、このような撮影を所定回数繰返し行なう。
【００６３】
撮影が終了すると、ユーザ１５に対して、お絵描きブース５３へ移動するように促がす案内をディスプレイ１３ａに表示する。案内に従って、ユーザ１５はお絵描きブース５３へ移動する。そして、以降のユーザ１５の操作は、お絵描きブース５３で行なわれる。
【００６４】
次に、撮影した画像をタブレットディスプレイ１３に全て表示し、その中からユーザ１５が気に入った画像をタブレットペン１４のタッチによって受付ける（Ｓ１４０）。
【００６５】
ユーザ１５からの選択を受付けると、選択された画像をタブレットディスプレイ１３に表示する。そして、さらに撮影画像自体の明るさ調整（ハイキー調整）、回転などの画像処理を行なう画面が表示され、ユーザ１５の好みにより撮影した画像を調整または加工することができる。
【００６６】
次に、選択された撮影画像に対して、ユーザ１５からタブレットペン１４により編集入力を受付ける（Ｓ１５０）。
【００６７】
編集入力中、タブレットディスプレイ１３に、撮影された画像と入力する画像とを切換えるためのボタンや、画像を切換えて編集を行なうための「背景」「フレーム」「ペン」「スタンプ」「消しゴム」「やり直し」などのボタンを表示する。ユーザ１５は、これらのボタンをタブレットペン１４で押すことで使用するツールを選択する。さらに、色、柄などを選択した後、表示された画像上で編集入力を行なう。編集中には、編集入力された画像と撮影された画像との画像合成をリアルタイムに実行し、タブレットディスプレイ１３に表示する。なお、ここで行なわれる編集処理については、後に詳細な説明を行なう。
【００６８】
編集入力時間は、予め設定されている。そして、タブレットディスプレイ１３上に残り時間を表示し、カウントダウンを行なう。残り時間が０になると編集入力が終了する。または、画面に用意された「終了」ボタンを押すことで強制的に終了させることもできる。
【００６９】
編集入力が終了すると、合成された画像をタブレットディスプレイ１３に表示する。そして、ユーザ１５から、シール等の印刷媒体に印刷する画像の選択を受付ける（Ｓ１６０）。また、編集入力に失敗した画像などを印刷しないような選択を受付けることもできる。
【００７０】
そして、選択された画像の枚数に応じて、予め決められた複数の印刷レイアウトをタブレットディスプレイ１３に表示し、ユーザ１５の選択を受付ける（Ｓ１７０）。
【００７１】
印刷する画像の選択と印刷レイアウトの選択とを受付けると、選択された印刷レイアウトにしたがって生成された印刷画像データをプリンタ１２に出力する。さらに、ユーザ１５をプリンタ１２の前に誘導するアナウンス（たとえば「シールは右から出るよ！」）をスピーカ２３またはタブレットディスプレイ１３より出力する。そして、プリンタ１２で印刷を実行し（Ｓ１８０）、プリント取出口９よりユーザ１５に提供する（Ｓ１９０）。
【００７２】
以上の処理が、１組のユーザ１５が本実施の形態の写真自動販売機で行なうプレイである。そして、上述の処理を終了すると、次にコインが投入されるまで、再度タイトルデモをスピーカ２３およびディスプレイ１３ａから出力する。
【００７３】
なお、上述の実施の形態では、１組のユーザ１５が利用する形態を説明したが、図１に示すとおり、撮影を行なう撮影ブース４と撮影された画像に編集を行なうお絵描きブース５３とが異なる場所に設置されていることから、２組の利用者が同時に利用することもできる。この場合、先の利用者が撮影を終了しお絵描きブース５３に移動すると、ディスプレイ１３ａにはデモ画像が表示され、次の利用者のコイン投入を受付ける。そして、コインが投入されると、次の利用者の撮影が開始される。
【００７４】
さらに、図６は、上述のステップＳ１４０，Ｓ１５０に示される編集処理を行なう際の、タブレットディスプレイ１３に表示される編集（お絵描き）用画面の具体例を示す図である。
【００７５】
図６を参照して、編集用画面は、主に、編集処理に用いる画像情報やテキスト情報の描画を受付ける描画領域２００と、編集処理に用いる撮影画像を選択する撮影画像選択領域３００と、編集処理に用いる「フレーム」や「スタンプ」等のツールを選択したり、編集処理の進行を指示したりするツール選択領域４００とから構成される。
【００７６】
ユーザ１５は、編集処理を行なう際に、図６に示されるような編集用画面を、タブレットペン１４でタッチすることで選択や入力を行なうことができる。具体的には、上述のステップＳ１４０において、撮影画像選択領域３００にて編集処理に用いる撮影画像をタブレットペン１４でタッチして選択する。ここで選択された撮影画像は、描画領域２００に表示される。
【００７７】
次に、ステップＳ１５０において、ツール選択領域４００にて編集に用いるツールをタブレットペン１４でタッチして選択する。さらに、選択されたツールで編集を行なうための編集用画像を選択する。具体的には、「フレーム」ツールあるいは「スタンプ」ツールを選択した場合にはフレームあるいはスタンプの画像を、選択ボタンをタッチして編集用画像として選択する。また、「ペン」ツールを選択した場合には線種や線の太さや色等を編集用画像として選択する。
【００７８】
さらに、描画領域２００にてスタンプ等の入力位置をタブレットペン１４でタッチして入力する。また、編集用ツールとして図示されないテキスト入力を選択した場合には、描画領域２００にタブレットペン１４で書込むことでテキスト入力を行なうこともできる。
【００７９】
本実施の形態においては、ツール選択領域４００に、編集用ツールで編集処理を行なう際に用いる編集用画像を変化させる手段を備えることを特徴とする。
【００８０】
［第１の実施の形態］
第１の実施の形態においては、ツール選択領域４００に、編集用ツールで編集処理を行なう際に用いる編集用画像を変化させる手段を、当該編集用ツールで用いるスタンプ画像やフレーム画像やペン種ごとに備えることを特徴とする。
【００８１】
図７〜図９に、本実施の形態においてスタンプツールで編集を行なうためのスタンプ画像の選択ボタン４１０の具体例を示す。図７に示される選択ボタン４１０はツール選択領域４００に表示されるものであって、第１の実施の形態においては、図７に示すように、スタンプ画像を表示し、スタンプ画像を選択するためのスタンプ画像ボタン４１１と、スタンプ画像ボタン４１１に表示されたスタンプ画像を変化させるためのスーパーチェンジボタン４１２とから構成される。
【００８２】
図８に示されるように、タブレットペン１４で選択ボタン４１０のスーパーチェンジボタン４１２をタッチするとスタンプ画像が変化を開始し、タブレットペン１４がスーパーチェンジボタン４１２にタッチしている間、スタンプ画像ボタン４１１に表示されるスタンプ画像がリアルタイムに変化する。そして、図９に示されるように、タブレットペン１４をスーパーチェンジボタン４１２から離すと、そのときのスタンプ画像がスタンプ画像ボタン４１１に表示され、その後スタンプ画像ボタン４１１にタッチすることで、その変化したスタンプ画像を編集処理に用いることができる。
【００８３】
なお、このようなスーパーチェンジボタン４１２は、表示されている全てのスタンプ画像に設けられてもよいし、変化可能な所定のスタンプ画像のみに設けられてもよい。
【００８４】
第１の実施の形態における写真自動販売機でスタンプツールを用いて編集処理を行なう場合の処理について、図１０にフローチャートを示す。図１０のフローチャートに示される処理もまた、ＰＣ１０１のＣＰＵが、記憶装置に記憶されるプログラムをメモリに読出して実行することによって実現される。なお、図１０に示されるスタンプツールを用いた編集処理は、上述の図５のステップＳ１５０において実行されるものである。そのため、この全段階の処理において、編集処理に用いる撮影画像は選択され、描画領域２００に表示されている。また、実際にスタンプツールを用いて編集処理を行なう場合には、タブレットペン１４で図６に示す編集画面上に備わるスタンプツールで使用する以外のボタン等にタッチすることも考えられ、その場合は必要な処理に移行するが、ここでは、スーパーチェンジボタン４１２にタッチされた場合の処理を簡潔に説明するために、不要な処理は省略している。
【００８５】
図１０を参照して、はじめに、タブレットペン１４で、図６に示される編集用画面のツール選択領域４００に示される「スタンプ」をタッチして、スタンプツールを選択する（Ｓ２０１）。ステップＳ２０１でスタンプツールの選択を受付けると、ＰＣ１０１のＣＰＵは、記憶装置に記憶されているスタンプツールで選択可能なスタンプ画像を読出してタブレットディスプレイ１３に出力し、ツール選択領域４００に各スタンプ画像を選択するための選択ボタンを表示させる。図７〜図９においては、ハート模様のスタンプ画像を選択するための選択ボタン４１０が具体例として示されている。なお、ここでスタンプ画像ボタン４１１に表示される画像は、実際の入力画像ではなく、実際に入力するスタンプ画像をイメージできるアイコンである。
【００８６】
次に、ツール選択領域４００に表示された選択ボタン４１０のスーパーチェンジボタン４１２にタブレットペン１４がタッチしているか否かが検出される（Ｓ２０３）。スーパーチェンジボタン４１２にタブレットペン１４がタッチしていない場合には（Ｓ２０３でＮＯ）、ステップＳ２０５，Ｓ２０７の処理を行なわず、ステップＳ２０９に処理を進める。すなわち、スーパーチェンジボタン４１２にタブレットペン１４がタッチしていない状態では、表示されているスタンプ画像が使用できる状態で確定しているので、説明の便宜上、ステップＳ２０５，Ｓ２０７の処理を行なわずにステップＳ２０９に処理を進めている。
【００８７】
スーパーチェンジボタン４１２にタブレットペン１４がタッチしている場合（Ｓ２０３でＹＥＳ）、その選択ボタン４１０のスタンプ画像ボタン４１１に表示されるスタンプ画像を変化させる（Ｓ２０５）。ここでの変化は、図７に具体例が示されるようにスタンプ画像の色彩の変化であってもよいし、サイズの変化であってもよいし、形状の変化であってもよいし、向きの変化であってもよい。例えば、所定のサイズまで徐々に大きく（あるいは小さく）なるスタンプ画像であってもよいし、羽ばたく鳥や膨らむ蕾のようにその形状が段階的に変化するスタンプ画像であってもよいし、矢印の先端の指す向きが連続的に変化するスタンプ画像であってもよい。
【００８８】
これらの変化は、予めＰＣ１０１の記憶装置に当該スタンプ画像に関連付けられて格納された、各変化の過程の画像を順次読出し、リアルタイムに切替えながら出力することで、スタンプ画像ボタン４１１にスタンプ画像が連続的に変化しているように表示されてもよい。また、画像の拡大、縮小、および回転等の画像処理や、画像の色調補正等の画像処理などを行なうことによって、スタンプ画像ボタン４１１にスタンプ画像が連続的に変化しているように表示されてもよい。なお、このようなスタンプ画像の連続的な変化は、ユーザ１５が視認可能な程度の一定の時間間隔（例えば、１秒〜３秒間隔）の変化であることが好ましい。
【００８９】
これらのスタンプ画像の変化を、スーパーチェンジボタン４１２にタブレットペン１４がタッチしている間実行し（Ｓ２０７でＮＯ）、スーパーチェンジボタン４１２からタブレットペン１４が離れたことを検出すると（Ｓ２０７でＹＥＳ）、その時点でスタンプ画像ボタン４１１に表示されているスタンプ画像を、以降の編集処理において利用可能なスタンプ画像として確定する（Ｓ２０９）。
【００９０】
次に、編集処理に用いるスタンプ画像をツール選択領域４００に表示された選択ボタン４１０のスタンプ画像ボタン４１１をタブレットペン１４でタッチして選択する（Ｓ２１１）。
【００９１】
さらに、選択したスタンプ画像を入力する位置を、タブレットペン１４で描画領域２００にタッチして選択する（Ｓ２１３）。
【００９２】
そして、ステップＳ２１１で選択されたスタンプ画像と、ステップＳ２１３で選択された位置とを、編集処理における入力画像および入力位置として確定し（Ｓ２１５）、編集処理を実行する。なお、ここでの編集処理については、一般的な画像合成等を用いた処理であるため、説明は行なわない。
【００９３】
以上で、本実施の形態におけるスタンプツールを用いた編集処理を終了し、図５のステップＳ１６０に処理を戻す。
【００９４】
また、ステップＳ２０９でスタンプ画像が確定した後、他のスタンプ画像の選択や他の操作などでツール選択領域４００を再度タブレットペン１４でタッチしないかぎり、変化させたスタンプ画像を選択された状態とすることで、ステップＳ２１１におけるスタンプ画像ボタン４１１をタッチする操作を省略することができる。この場合は、上述の例よりもタッチ数が１回少なく、変化させたスタンプ画像をすぐに編集処理に使用する場合は操作性がよくなる。
【００９５】
なお、上述の処理は、スタンプツールを用いた編集処理に限定されず、その他のツールを用いた場合も同様である。すなわち、ペンツールを用いた編集処理の場合には、選択されたペン種についての線種や線の太さや色などをスーパーチェンジボタンにタブレットペンがタッチしている間変化させることができ、フレームツールを用いた編集処理の場合には、選択されたフレーム画像についての色やサイズなどをスーパーチェンジボタンにタブレットペンがタッチしている間変化させることができる。
【００９６】
本実施の形態における写真自動販売機で上述の処理が実行されることよって、限られた表示領域であるツール選択領域４００に、多種多様なバリエーションの編集用画像を、操作性よく利用者に提供することができる。
【００９７】
また、本実施の形態では、編集用画像を編集処理前にユーザの指示に応じてリアルタイムに変化させるため、編集処理前に、最適な編集用画像を導き出すことができる。さらに、編集処理前に編集用画像を１つの動的な画面で確認できるため、ユーザは、所望する編集用画像を直感的に確認しやすい。
【００９８】
［第２の実施の形態］
第２の実施の形態においては、ツール選択領域４００に、編集用ツールで編集処理を行なう際に用いる編集用画像を編集用ツールごとに一括して変化させる手段を備えることを特徴とする。
【００９９】
図１１〜図１３に、本実施の形態においてスタンプツールで編集を行なう場合の、ツール選択領域４００の具体例を示す。図１１〜図１３に示されるツール選択領域４００は、編集処理に用いる編集用ツールとしてスタンプツールを選択した際に表示されるものであって、第２の実施の形態においては、図１１〜図１３に示すように、複数のスタンプ画像を表示し、スタンプ画像を選択するための複数のスタンプ画像ボタン４１１を表示するスタンプ画像ボタン領域４２１と、スタンプ画像ボタン領域４２１の複数のスタンプ画像ボタン４１１に表示されたスタンプ画像を変化させるためのスーパーチェンジボタン４１２とから構成される。
【０１００】
図１１に示されるように、タブレットペン１４でツール選択領域４００のスーパーチェンジボタン４１２をタッチすると、図１２に示されるように、タブレットペン１４がスーパーチェンジボタン４１２にタッチしている間、スタンプ画像ボタン領域４２１の複数のスタンプ画像ボタン４１１に表示されるスタンプ画像が一斉に変化を開始し、リアルタイムに変化し続ける。そして、図１３に示されるように、タブレットペン１４をスーパーチェンジボタン４１２から離すと、スタンプ画像の変化が止まり、そのときのスタンプ画像がスタンプ画像ボタン領域４２１のスタンプ画像ボタン４１１に表示される。その後所望するスタンプ画像のスタンプ画像ボタン４１１にタッチすると、その変化したスタンプ画像を編集処理に用いることができる。
【０１０１】
タブレットペン１４がスーパーチェンジボタン４１２にタッチしている間に変化するスタンプ画像は、スタンプ画像ボタン領域４２１の複数のスタンプ画像ボタン４１１に表示される全てのスタンプ画像であってもよいし、変化可能な所定のスタンプ画像のみであってもよい。
【０１０２】
第２の実施の形態における写真自動販売機でスタンプツールを用いて編集処理を行なう場合の処理は、上述の図１０のフローチャートに示された処理と同様である。すなわち、図１０を参照して、ステップＳ２０１でスタンプツールが選択されて、ツール選択領域４００のスタンプ画像ボタン領域４２１に各スタンプ画像を選択するための複数のスタンプ画像ボタン４１１が表示されると、さらに、ステップＳ２０３で、スーパーチェンジボタン４１２にタブレットペン１４がタッチしているか否かが検出される。スーパーチェンジボタン４１２にタブレットペン１４がタッチしている間、ステップＳ２０５でスタンプ画像ボタン領域４２１の複数のスタンプ画像ボタン４１１に表示されるスタンプ画像を変化させる。ここでの変化は、上述の変化と同様であるため、説明を繰返さない。そして、スーパーチェンジボタン４１２からタブレットペン１４が離れた時点（Ｓ２０７でＹＥＳ）でスタンプ画像ボタン領域４２１のスタンプ画像ボタン４１１に表示されているスタンプ画像を、編集処理において利用可能なスタンプ画像として確定する（Ｓ２０９）。
【０１０３】
さらに、ステップＳ２１１およびＳ２１３で、編集処理に用いるスタンプ画像と、その入力位置との選択を受付けて、ステップＳ２１５で、選択されたスタンプ画像と選択された位置とを、編集処理における入力画像および入力位置として確定し、編集処理を行なう。
【０１０４】
なお、上述の処理もまた、スタンプツールを用いた編集処理に限定されず、その他のツールを用いた場合も同様である。すなわち、ペンツールを用いた編集処理の場合には、全ての、あるいは所定のペン種についての線種や線の太さや色などをスーパーチェンジボタンにタブレットペンがタッチしている間変化させることができ、フレームツールを用いた編集処理の場合には、全ての、あるいは所定のフレーム画像についての色やサイズなどがスーパーチェンジボタンにタブレットペンがタッチしている間変化させることができる。
【０１０５】
本実施の形態における写真自動販売機で上述の処理が実行されることよって、１度の操作で複数の編集用画像を変化させることができ、ユーザは、編集処理前に、多種多様なバリエーションの編集用画像を一目で確認することができる。
【０１０６】
［第３の実施の形態］
第３の実施の形態においては、ツール選択領域４００に、編集用ツールで編集処理を行なう際に用いる編集用画像を変化させる手段およびその変化を終了させる手段を、当該編集用ツールで用いるスタンプ画像やフレーム画像やペン種ごとに備えることを特徴とする。
【０１０７】
本実施の形態においてスタンプツールで編集を行なうためのスタンプ画像の選択ボタン４１０の具体例としては、第１の実施の形態において図７に示される選択ボタン４１０と同様の具体例が挙げられる。
【０１０８】
図１４に示されるように、タブレットペン１４で選択ボタン４１０のスーパーチェンジボタン４１２に１回タッチすると、図１５に示されるように、スーパーチェンジボタン４１２はストップボタン４１３に変化する。また、スタンプ画像ボタン４１１に表示されるスタンプ画像が変化を開始し、リアルタイムに変化し続ける。そして、図１６に示されるように、タブレットペン１４で選択ボタン４１０のストップボタン４１３に１回タッチすると、図９に示されるように、ストップボタン４１３はスーパーチェンジボタン４１２に変化する。また、スタンプ画像の変化が止まり、そのときのスタンプ画像がスタンプ画像ボタン４１１に表示される。その後スタンプ画像ボタン４１１にタッチすることで、その変化したスタンプ画像を編集処理に用いることができる。
【０１０９】
なお、このようなスーパーチェンジボタン４１２は、第１の実施の形態と同様に、表示されている全てのスタンプ画像に設けられてもよいし、変化可能な所定のスタンプ画像のみに設けられてもよい。
【０１１０】
第３の実施の形態における写真自動販売機でスタンプツールを用いて編集処理を行なう場合の処理について、図１７にフローチャートを示す。図１７のフローチャートに示される処理もまた、ＰＣ１０１のＣＰＵが、記憶装置に記憶されるプログラムをメモリに読出して実行することによって実現される。なお、図１０に示されるスタンプツールを用いた編集処理は、上述の図５のステップＳ１５０において実行されるものである。そのため、この全段階の処理において、編集処理に用いる撮影画像は選択され、描画領域２００に表示されている。また、実際にスタンプツールを用いて編集処理を行なう場合には、タブレットペン１４で図６に示す編集画面上に備わるスタンプツールで使用する以外のボタン等にタッチすることも考えられ、その場合は必要な処理に移行するが、ここでは、スーパーチェンジボタン４１２にタッチされた場合の処理を簡潔に説明するために、不要な処理は省略している。
【０１１１】
図１７を参照して、はじめに、タブレットペン１４で、図６に示される編集用画面のツール選択領域４００に示される「スタンプ」をタッチして、スタンプツールを選択する（Ｓ３０１）。
【０１１２】
次に、ツール選択領域４００に表示された選択ボタン４１０のスーパーチェンジボタン４１２にタブレットペン１４がタッチしたか否かが検出される（Ｓ３０３）。スーパーチェンジボタン４１２にタブレットペン１４がタッチしていない場合には（Ｓ３０３でＮＯ）、ステップＳ３０５〜Ｓ３０９の処理を行なわず、ステップＳ３１１に処理を進める。すなわち、スーパーチェンジボタン４１２にタブレットペン１４がタッチしていない状態では、表示されているスタンプ画像が使用できる状態で確定しているので、説明の便宜上、ステップＳ３０５〜Ｓ３０９の処理を行なわずにステップＳ３１１に処理を進めている。
【０１１３】
スーパーチェンジボタン４１２にタブレットペン１４がタッチすると（Ｓ３０３でＹＥＳ）、スーパーチェンジボタン４１２の表示をストップボタン４１３の表示に変更する（Ｓ３０５）。
【０１１４】
さらに、その選択ボタン４１０のスタンプ画像ボタン４１１に表示されるスタンプ画像を変化させる（Ｓ３０７）。ここでの変化は、第１の実施の形態におけるスタンプ画像の変化と同様であるため、詳細な説明は繰返さない。
【０１１５】
上述のスタンプ画像の変化を、ストップボタン４１３にタブレットペン１４がタッチするまで繰返し実行する（Ｓ３０９）。そして、ストップボタン４１３にタブレットペン１４がタッチすると（Ｓ３０９でＹＥＳ）、その時点でスタンプ画像ボタン４１１に表示されているスタンプ画像を、編集処理において利用可能なスタンプ画像として確定する（Ｓ３１１）。
【０１１６】
次に、編集処理に用いるスタンプ画像をツール選択領域４００に表示された選択ボタン４１０のスタンプ画像ボタン４１１をタブレットペン１４でタッチして選択する（Ｓ３１３）。
【０１１７】
さらに、選択したスタンプ画像を入力する位置を、タブレットペン１４で描画領域２００にタッチして選択する（Ｓ３１５）。
【０１１８】
そして、ステップＳ３１３で選択されたスタンプ画像と、ステップＳ３１５で選択された位置とを、編集処理における入力画像および入力位置として確定し（Ｓ３１７）、編集処理を行なう。
【０１１９】
以上で、本実施の形態におけるスタンプツールを用いた編集処理を終了し、図５のステップＳ１６０に処理を戻す。
【０１２０】
また、ステップＳ３１１でスタンプ画像が確定した後、他のスタンプ画像の選択や他の操作などでツール選択領域４００を再度タブレットペン１４でタッチしないかぎり、変化させたスタンプ画像を選択された状態とすることで、ステップＳ３１３におけるスタンプ画像ボタン４１１をタッチする操作を省略することができる。この場合は、上述の例よりもタッチ数が１回少なく、変化させたスタンプ画像をすぐに編集処理に使用する場合は操作性がよくなる。
【０１２１】
なお、上述の処理もまた、スタンプツールを用いた編集処理に限定されず、その他のツールを用いた場合も同様である。すなわち、ペンツールを用いた編集処理の場合には、選択されたペン種についての線種や線の太さや色などをスーパーチェンジボタンにタブレットペンが１回タッチしてから次にストップボタンにタッチするまで変化させることができ、フレームツールを用いた編集処理の場合には、選択されたフレーム画像についての色やサイズなどをスーパーチェンジボタンにタブレットペンが１回タッチしてから次にストップボタンにタッチするまで変化させることができる。
【０１２２】
本実施の形態における写真自動販売機で上述の処理が実行されることよって、限られた表示領域であるツール選択領域４００に、多種多様なバリエーションの編集用画像を、操作性よく利用者に提供することができる。
【０１２３】
また、本実施の形態では、編集用画像を編集処理前にユーザの指示に応じてリアルタイムに変化させるため、編集処理前に、最適な編集用画像を導き出すことができる。さらに、編集処理前に編集用画像を１つの動的な画面で確認できるため、ユーザは、所望する編集用画像を直感的に確認しやすい。
【０１２４】
［第４の実施の形態］
第４の実施の形態においては、ツール選択領域４００に、編集用ツールで編集処理を行なう際に用いる編集用画像を編集用ツールごとに一括して変化させる手段およびその変化を終了させる手段を備えることを特徴とする。
【０１２５】
本実施の形態においてスタンプツールで編集を行なう場合のツール選択領域４００の具体例としては、第２の実施の形態において図１１に示されるツール選択領域４００と同様の具体例が挙げられる。
【０１２６】
図１８に示されるように、タブレットペン１４でツール選択領域４００のスーパーチェンジボタン４１２に１回タッチすると、図１９に示されるように、スーパーチェンジボタン４１２はストップボタン４１３に変化する。また、スタンプ画像ボタン領域４２１の複数のスタンプ画像ボタン４１１に表示されるスタンプ画像が一斉に変化を開始し、リアルタイムに変化し続ける。そして、図２０に示されるように、タブレットペン１４でツール選択領域４００のストップボタン４１３に１回タッチすると、図１３に示されるように、ストップボタン４１３はスーパーチェンジボタン４１２に変化する。また、スタンプ画像の変化が止まり、そのときのスタンプ画像がスタンプ画像ボタン領域４２１のスタンプ画像ボタン４１１に表示される。その後所望するスタンプ画像の表示にタッチすると、その変化したスタンプ画像を編集処理に用いることができる。
【０１２７】
第４の実施の形態における写真自動販売機でスタンプツールを用いて編集処理を行なう場合の処理は、上述の図１７のフローチャートに示された処理と同様である。すなわち、図１７を参照して、ステップＳ３０１でスタンプツールが選択されて、ツール選択領域４００のスタンプ画像ボタン領域４２１に各スタンプ画像を選択するための複数のスタンプ画像ボタン４１１が表示されると、さらに、ステップＳ３０３で、スーパーチェンジボタン４１２にタブレットペン１４がタッチしたか否かが検出される。スーパーチェンジボタン４１２にタブレットペン１４がタッチすると、ステップＳ３０５でスーパーチェンジボタン４１２の表示をストップボタン４１３の表示に変更させ、さらに、ステップＳ３０７でスタンプ画像ボタン領域４２１の複数のスタンプ画像ボタン４１１に表示されるスタンプ画像を一斉に変化させる。ここでの変化は、上述の変化と同様であるため、説明を繰返さない。そして、ステップＳ３０９で、ストップボタン４１３にタブレットペン１４がタッチしたことが検出されるまで、上述のスタンプ画像の変化を続け、ストップボタン４１３にタブレットペン１４がタッチした時点（Ｓ３０９でＹＥＳ）でスタンプ画像ボタン４１１のスタンプ画像ボタン４１１に表示されているスタンプ画像を、編集処理において利用可能なスタンプ画像として確定する（Ｓ３１１）。
【０１２８】
さらに、ステップＳ３１３およびＳ３１５で、編集処理に用いるスタンプ画像と、その入力位置との選択を受付けて、ステップＳ３１７で、選択されたスタンプ画像と選択された位置とを、編集処理における入力画像および入力位置として確定し、編集処理を行なう。
【０１２９】
なお、上述の処理もまた、スタンプツールを用いた編集処理に限定されず、その他のツールを用いた場合も同様である。すなわち、ペンツールを用いた編集処理の場合には、全ての、あるいは所定のペン種についての線種や線の太さや色などをスーパーチェンジボタンにタブレットペンが１回タッチしてから次にストップボタンにタッチするまで変化させることができ、フレームツールを用いた編集処理の場合には、全ての、あるいは所定のフレーム画像についての色やサイズなどをスーパーチェンジボタンにタブレットペンが１回タッチしてから次にストップボタンにタッチするまで変化させることができる。
【０１３０】
本実施の形態における写真自動販売機で上述の処理が実行されることよって、１度の操作で複数の編集用画像を変化させることができ、ユーザは、編集処理前に、多種多様なバリエーションの編集用画像を一目で確認することができる。
【０１３１】
なお、以上の第１〜第４の実施の形態においては、写真自動販売機は、タブレットディスプレイ１３に表示される編集用画面のツール選択領域４００に、編集用ツールで編集処理を行なう際に用いる属性を変化させるためのスーパーチェンジボタン４１２を表示し、タブレットペン１４をタッチすることで、その入力を受付ける。しかし、スーパーチェンジボタン４１２の位置は、タブレットディスプレイ１３に表示される編集用画面のツール選択領域４００に限定されず、その他の位置であってもよい。すなわち、図２１に示されるように、タブレットディスプレイ１３外にスーパーチェンジボタン４１２を備え、機械的にスーパーチェンジボタン４１２が押下されることで上述の処理を実行しても構わない。また、図２２に示すように、複数のユーザによって利用可能なように、複数のスーパーチェンジボタン４１２が備えられていても構わない。さらに、写真自動販売機の本体（筐体１）に限定されず、図２３に示すようにタブレットペン１４にスーパーチェンジボタン４１２が備えられていても構わない。
【０１３２】
［第５の実施の形態］
第５の実施の形態においては、ツール選択領域４００に、編集用ツールで編集処理を行なう際に用いる編集用画像を変化させる手段を、当該編集用ツールで用いるスタンプ画像やフレーム画像やペン種ごとに備え、さらに、その変化を表示するための領域を備えることを特徴とする。
【０１３３】
図２４〜図２６に、本実施の形態においてスタンプツールで編集を行なう場合の編集用画面の具体例を示す。図２４〜図２６に示される編集用画面は、編集処理に用いる編集用ツールとしてスタンプツールを選択した際に表示されるものである。第５の実施の形態においては、図２４〜図２６に示すように、ツール選択領域４００に、スタンプ画像を選択するためのスタンプ画像ボタン４１１と、選択されたスタンプ画像の変化を表示するためのスタンプ画像変化領域４２２とを含む。
【０１３４】
図２４に示されるように、タブレットペン１４でツール選択領域４００に表示されるスタンプ画像ボタンのうち画像を変化させたいスタンプ画像ボタン４１１にタッチすると、スタンプ画像ボタン４１１付近にスタンプ画像変化領域４２２が表示される。そして、タブレットペン１４がスタンプ画像ボタン４１１にタッチしている間、スタンプ画像変化領域４２２において当該スタンプ画像ボタン４１１に表示されるスタンプ画像が変化を開始し、リアルタイムに変化し続ける。次に、図２５に示されるように、タブレットペン１４をスタンプ画像ボタン４１１から離すと、スタンプ画像変化領域４２２におけるスタンプ画像の変化が止まり、そのときのスタンプ画像がスタンプ画像変化領域４２２に表示される。また、そのときのスタンプ画像がスタンプ画像ボタン４１１に同時に表示されてもよい。その後、図２６に示されるように、変化後のスタンプ画像を入力したい位置を描画領域２００にタブレットペン１４でタッチすると、その変化したスタンプ画像をタッチした位置に入力することができる。
【０１３５】
第５の実施の形態における写真自動販売機でスタンプツールを用いて編集処理を行なう場合の処理は、上述の図１０のフローチャートに示された処理と同様であるため、ここでの説明は繰返さない。
【０１３６】
本実施の形態における写真自動販売機で上述の処理が実行されることよって、限られた表示領域であるツール選択領域４００に、多種多様なバリエーションの編集用画像を、操作性よく利用者に提供することができる。さらに、描画領域以外の領域に編集用画像の変化を表示するため、編集用画像のバリエーションが描画領域に表示されている撮影画像やすでに編集処理に用いている（撮影画像に入力した）編集用画像などに重なることなく、多種多様なバリエーションの編集用画像を見やすく利用者に提示することができる。
【０１３７】
なお、上述のスタンプ画像変化領域４２２が表示される位置は選択されたスタンプ画像ボタン４１１付近に限定されず、描画領域２００以外の位置であれば他の位置であっても構わない。例えば、描画領域２００以外に予めスタンプ画像変化領域４２２を設けてあっても構わない。
【０１３８】
また、本実施の形態においても、第１の実施の形態あるいは第３の実施の形態と同様にスーパーチェンジボタン４１２をスタンプ画像ボタン４１１付近に備え、スーパーチェンジボタン４１２をタブレットペン１４でタッチすることでスタンプ画像ボタン４１１に表示されるスタンプ画像がスタンプ画像変化領域４２２内で変化しても構わない。
【０１３９】
言うまでもなく、上述の第１〜第５の実施の形態における編集用画像等の変化は、１プレイ中に複数の編集用画像に対して行なわれても構わない。上述の変化は、タブレットペン１４がスーパーチェンジボタン４１２にタッチしている間、あるいは、次にストップボタン４１３にタッチするまでの間リアルタイムに行なわれ、変化後の編集用画像は、以降のそのプレイにおける編集処理の任意のタイミングで利用可能なように保存される。また、１度変化させた編集用画像に対して、再度変化を行なわせることもできる。さらにまた、１コマずつ絵が切替わるようなアニメーション風のスタンプなどの場合に、１コマずつ画像を確認しながら入力できるようにするために、スーパーチェンジボタンまたはスタンプ画像ボタンを１回タッチするごとに、編集用画像が１度変化するようにしてもよい。
【０１４０】
さらに、上述の第１〜第５の実施の形態における写真自動販売機で行なわれる編集用画像の提示方法を、プログラムとして提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１４１】
提供されるプログラム製品は、ハードディスクなどのプログラム格納部にインストールされて実行される。なお、プログラム製品は、プログラム自体と、プログラムが記録された記録媒体とを含む。
【０１４２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態における写真撮影装置である、写真自動販売機の外観の具体例を示す図である。
【図２】筐体１を正面（撮影ブース４内方向）から見た具体例を示す図である。
【図３】筐体１を背面（お絵描きブース５３方向）から見た具体例を示す図である。
【図４】本実施の形態における写真自動販売機の機能ブロック図である。
【図５】本実施の形態における写真自動販売機での処理を示すフローチャートである。
【図６】編集（お絵描き）用画面の具体例を示す図である。
【図７】第１の実施の形態における選択ボタン４１０の具体例を示す図である。
【図８】第１の実施の形態における選択ボタン４１０の具体例を示す図である。
【図９】第１の実施の形態における選択ボタン４１０の具体例を示す図である。
【図１０】第１の実施の形態における写真自動販売機でスタンプツールを用いて編集処理を行なう場合の処理を示すフローチャートである。
【図１１】第２の実施の形態におけるツール選択領域４００の具体例を示す図である。
【図１２】第２の実施の形態におけるツール選択領域４００の具体例を示す図である。
【図１３】第２の実施の形態におけるツール選択領域４００の具体例を示す図である。
【図１４】第３の実施の形態における選択ボタン４１０の具体例を示す図である。
【図１５】第３の実施の形態における選択ボタン４１０の具体例を示す図である。
【図１６】第３の実施の形態における選択ボタン４１０の具体例を示す図である。
【図１７】第３の実施の形態における写真自動販売機でスタンプツールを用いて編集処理を行なう場合の処理を示すフローチャートである。
【図１８】第４の実施の形態におけるツール選択領域４００の具体例を示す図である。
【図１９】第４の実施の形態におけるツール選択領域４００の具体例を示す図である。
【図２０】第４の実施の形態におけるツール選択領域４００の具体例を示す図である。
【図２１】第１〜第４の実施の形態におけるスーパーチェンジボタン４１２の位置の他の具体例を示す図である。
【図２２】第１〜第４の実施の形態におけるスーパーチェンジボタン４１２の位置の他の具体例を示す図である。
【図２３】第１〜第４の実施の形態におけるスーパーチェンジボタン４１２の位置の他の具体例を示す図である。
【図２４】第５の実施の形態における編集用画面の具体例を示す図である。
【図２５】第５の実施の形態における編集用画面の具体例を示す図である。
【図２６】第５の実施の形態における編集用画面の具体例を示す図である。
【符号の説明】
１  筐体、１２  プリンタ、１３  タブレットディスプレイ、１３ａ  ディスプレイ、１４  タブレットペン、１５  ユーザ、２１  カメラ、２２  モニタ、１０１  パーソナルコンピュータ、１０２  制御部、２００  描画領域、３００撮影画像選択領域、４００  ツール選択領域、４１０  選択ボタン、４１１  スタンプ画像ボタン、４１２  スーパーチェンジボタン、４１３  ストップボタン、４２１  スタンプ画像ボタン領域、４２２  スタンプ画像変化領域。
【図１】
2004153613.tif 000003
【図２】
2004153613.tif 000004
【図３】
2004153613.tif 000005
【図４】
2004153613.tif 000006
【図５】
2004153613.tif 000007
【図６】
2004153613.tif 000008
【図７】
2004153613.tif 000009
【図８】
2004153613.tif 000010
【図９】
2004153613.tif 000011
【図１０】
2004153613.tif 000012
【図１１】
2004153613.tif 000013
【図１２】
2004153613.tif 000014
【図１３】
2004153613.tif 000015
【図１４】
2004153613.tif 000016
【図１５】
2004153613.tif 000017
【図１６】
2004153613.tif 000018
【図１７】
2004153613.tif 000019
【図１８】
2004153613.tif 000020
【図１９】
2004153613.tif 000021
【図２０】
2004153613.tif 000022
【図２１】
2004153613.tif 000023
【図２２】
2004153613.tif 000024
【図２３】
2004153613.tif 000025
【図２４】
2004153613.tif 000026
【図２５】
2004153613.tif 000027
【図２６】
2004153613.tif 000028